(57)【要約】      （修正有）【課題】寝る時に着用されたままで地震が発生した場合、そのまま逃げ出すことができるウェアラブル地震避難布団及び寝具用品セットを提供する。【解決手段】ウェアラブル地震避難布団は、布団本体を備え、布団本体は、順に連結される第１布団の縁１１２と、第２布団の縁１１４と、第３布団の縁１１６と、第４布団の縁１１８とを備える。布団の利用率を向上するために、布団がベッドで用いられるだけでなく、ユーザにも着用され、自由に歩き回ることができる。第１布団の縁に第１連結部品１２０、１２２、１２４が設けられ、第３布団の縁に第２連結部品１２６、１２８、１３０が設けられる。第１連結部品と第２連結部品との連結及び取り外しにより、布団の着脱を実現できる。寝具用品セットは、使用価値を向上することができる前記布団を備える。【選択図】図１
0003226946.tif 000002
【実用新案登録請求の範囲】
【請求項１】
順に連結される第１布団の縁と、第２布団の縁と、第３布団の縁と、第４布団の縁とを備える布団本体を備えるウェアラブル地震避難布団であって、前記第１布団の縁に第１連結部品が設けられており、前記第３布団の縁に第２連結部品が設けられており、前記第１連結部品と前記第２連結部品とが脱着可能にマッチングすることを特徴とする、ウェアラブル地震避難布団。
【請求項２】
前記第１連結部品が第１ボタンと、第２ボタンと、第３ボタンとを備え、前記第２連結部品がそれぞれ前記第１ボタン、前記第２ボタン及び前記第３ボタンに合わせる第１ボタン穴、第２ボタン穴及び第３ボタン穴を備えることを特徴とする、請求項１に記載のウェアラブル地震避難布団。
【請求項３】
前記第１ボタンと前記第２ボタンとの間の距離が前記第２ボタンと前記第３ボタンとの間の距離よりも大きいことを特徴とする、請求項２に記載のウェアラブル地震避難布団。
【請求項４】
前記第１ボタンが前記第１布団の縁の前記第２布団の縁に近い一端に位置し、前記第２ボタンと前記第３ボタンが何れも前記第１布団の縁の前記第４布団の縁に近い一端に位置することを特徴とする、請求項３に記載のウェアラブル地震避難布団。
【請求項５】
前記第２布団の縁に第４ボタンと、前記第４ボタンに合わせる第４ボタン穴とが設けられており、前記第４ボタンが前記第１ボタンに近接し、前記第４ボタン穴が前記第１ボタン穴に近接することを特徴とする、請求項４に記載のウェアラブル地震避難布団。
【請求項６】
前記第１連結部品が第１ベルトをさらに備え、前記第２連結部品が第２ベルトをさらに備え、前記第１ベルトの一端と前記第２ベルトの一端とが固定連結され又は一体的に成形され、前記第１ベルトの他端と前記第２ベルトの他端とが脱着可能に連結され、前記第１ベルトと前記第２ベルトが何れも前記第１ボタンと前記第２ボタンとの間に位置することを特徴とする、請求項２〜５の何れか１項に記載のウェアラブル地震避難布団。
【請求項７】
前記第２布団の縁に固定ベルトがさらに設けられており、前記固定ベルトの一端が第２布団の縁に固定連結され、他端が自由に延伸することを特徴とする、請求項６に記載のウェアラブル地震避難布団。
【請求項８】
前記固定ベルトが第１サブベルトと、第２サブベルトとを備え、前記第１サブベルトと前記第２サブベルトの一端が固定連結され、他端が脱着可能に連結されることを特徴とする、請求項７に記載のウェアラブル地震避難布団。
【請求項９】
前記布団本体が収納袋をさらに備え、前記収納袋の底部に呼び子を収めるための収納バッグが設けられていることを特徴とする、請求項６に記載のウェアラブル地震避難布団。
【請求項１０】
請求項１〜９の何れか１項に記載のウェアラブル地震避難布団を備えることを特徴とする、寝具用品セット。
【考案の詳細な説明】
【技術分野】
【０００１】
本考案は、家庭用品分野に関し、詳しくは、ウェアラブル地震避難布団及び寝具用品セットに関する。
【背景技術】
【０００２】
布団は人々の生活に欠かせない家庭用品である。現在、布団は通常ベッドでの使用のみに限られており、敷物として用いられてベッドの柔軟度を向上し、又は人々が体を覆い暖かめることに用いられる。そのため、布団の利用率をさらに向上させることが必要である。
【考案の概要】
【０００３】
本考案の目的は、多種の用途を有し、布団の利用率を大幅に向上するウェアラブル地震避難布団を提供することである。
【０００４】
本考案の別の目的は、利用率が高い寝具用品セットを提供することである。
【０００５】
本考案の実施例は以下のように実現される。
【０００６】
順に連結される第１布団の縁と、第２布団の縁と、第３布団の縁と、第４布団の縁とを備える布団本体を備えるウェアラブル地震避難布団であって、第１布団の縁に第１連結部品が設けられており、第３布団の縁に第２連結部品が設けられており、第１連結部品と第２連結部品とが脱着可能にマッチングするウェアラブル地震避難布団。
【０００７】
本考案のいくつかの実施形態では、第１連結部品が第１ボタンと、第２ボタンと、第３ボタンとを備え、第２連結部品がそれぞれ第１ボタン、第２ボタン及び第３ボタンに合わせる第１ボタン穴、第２ボタン穴及び第３ボタン穴を備える。
【０００８】
本考案のいくつかの実施形態では、第１ボタンと第２ボタンとの間の距離が第２ボタンと第３ボタンとの間の距離よりも大きい。
【０００９】
本考案のいくつかの実施形態では、第１ボタンが第１布団の縁の第２布団の縁に近い一端に位置し、第２ボタンと第３ボタンが何れも第１布団の縁の第４布団の縁に近い一端に位置する。
【００１０】
本考案のいくつかの実施形態では、第２布団の縁に第４ボタンと、第４ボタンに合わせる第４ボタン穴とが設けられており、第４ボタンが第１ボタンに近接し、第４ボタン穴が第１ボタン穴に近接する。
【００１１】
本考案のいくつかの実施形態では、第１連結部品が第１ベルトをさらに備え、第２連結部品が第２ベルトをさらに備え、第１ベルトの一端と第２ベルトの一端とが固定連結され又は一体的に成形され、第１ベルトの他端と第２ベルトの他端とが脱着可能に連結され、第１ベルトと第２ベルトが何れも第１ボタンと第２ボタンとの間に位置する。
【００１２】
本考案のいくつかの実施形態では、第２布団の縁に固定ベルトがさらに設けられており、固定ベルトの一端が第２布団の縁に固定連結され、他端が自由に延伸する。
【００１３】
本考案のいくつかの実施形態では、固定ベルトが第１サブベルトと、第２サブベルトとを備え、第１サブベルトと第２サブベルトの一端が固定連結され、他端が脱着可能に連結される。
【００１４】
本考案のいくつかの実施形態では、布団本体が収納袋をさらに備え、収納袋の底部に呼び子を収めるための収納バッグが設けられている。
【００１５】
前記何れか１つのウェアラブル地震避難布団を備える寝具用品セット。
【００１６】
本考案に係る実施形態は、以下のようなメリット又は効果を少なくとも有する。
【００１７】
本考案に係る実施形態は、主として布団本体を備えるウェアラブル地震避難布団を提供する。一般的には、布団本体は順に連結される第１布団の縁と、第２布団の縁と、第３布団の縁と、第４布団の縁とを備える。布団の利用率を向上するために、布団がベッドで用いられ得るだけでなく、ユーザにも着用され得、ユーザが自由に歩き回ることができる。このため、第１布団の縁に第１連結部品が設けられており、第３布団の縁に第２連結部品が設けられている。第１連結部品と第２連結部品とが脱着可能にマッチングする。第１連結部品と第２連結部品との連結及び取り外しにより、布団のユーザにおける着脱を実現できる。多くのユーザは、ある場合、綿布団を体に巻き付けることが好きであるが、綿布団が良い着用機能を有しないことが多いので、ユーザは綿布団を安定して体に巻き付けることが困難であり、被覆位置及び被覆姿勢を頻繁に調整することが必要であり、ユーザを非常に困らせる。また、現在各地において多くの地震災害が現れ、ユーザが寝る際に地震が発生した場合、ユーザは安心して本実施例に提供される布団を巻き付けて外へ駆け出すことができる。当該布団は、良い着用機能を有するため、体を覆うことができるだけでなく、寒気に耐えることもでき、さらに緩衝機能を果たし、落下した物体のユーザの体に対する傷害を軽減することができる。ユーザが寝る時に当該布団も着用されたままであると、地震が発生する場合、ユーザは目が覚めた後そのまま逃げ出すことができ、ユーザに貴重な脱出時間を取った。本考案に係る実施形態は、寝具用品セットの使用価値を向上できる前記ウェアラブル地震避難布団を備える寝具用品セットをさらに提供する。
【図面の簡単な説明】
【００１８】
本考案に係る実施形態の技術的手段をより明確に説明するために、以下に実施形態に使用する必要のある添付図面を簡単に説明する。なお、以下の添付図面に本考案のある実施形態しか示されていないので、範囲を限定するものと見なすべきではなく、当業者であれば、創造的労働を行うことなく、これらの添付図面から他の関連添付図面をさらに得ることができる。
【図１】本考案に係る実施例に提供されるウェアラブル地震避難布団の概略構成図である。
【図２】本考案に係る実施例に提供される布団が人体に着用される場合の概略構成図である。
【図３】本考案に係る実施例に提供される布団本体が折り畳まれた後の概略構成図である。
【考案を実施するための形態】
【００１９】
本考案に係る実施形態の目的、技術的手段及びメリットが分かりやすいように、以下に本考案に係る実施例中の添付図面を参照しながら、本考案に係る実施例中の技術的手段を明確で完全に説明する。説明される実施例は本考案の実施例の全部ではなく、一部であることは自明であろう。通常、ここに添付される図面に説明及び表示される本考案の実施例の部品は、各種の異なる配置で設置及び設計されてもよい。
【００２０】
このため、以下に添付図面に提供される本考案の実施例の詳細な説明は保護が求められる本考案の範囲を制限するものではなく、本考案の選ばれた実施例のみを示す。本考案中の実施例に基づき、当業者が創造的労働を行うことなく得られた全ての他の実施例は、何れも本考案の保護範囲に属する。
【００２１】
なお、同じ番号及びアルファベットは以下の添付図面に同様な要素を示すので、ある要素が一つの添付図面において定義されると、その後の添付図面においてそれをさらに定義及び説明する必要がない。
【００２２】
本考案に係る実施例の説明において、「上」、「下」、「左」、「右」、「水平」、「内」等により指示される方位又は位置関係は、添付図面に基づく方位又は位置関係であり、又は当該考案の製品が使用時によく置かれる方位又は位置関係である。本考案の説明の便宜、及び説明の簡略化のためにのみ使用され、示される装置又は素子は所定の方位を有し、特定の方位で構成・操作されなければならないことを示したり、暗示したりするものではない。したがって、本考案を制限するものではないと理解されるべきである。なお、「第１」、「第２」、「第３」、「第４」等は区別して説明するためにのみ使用され、相対的な重要性を示したり、暗示したりするものではないと理解されるべきである。
【００２３】
なお、「水平」が現れる場合、部材に絶対的な水平が求められることを示すものではなく、やや斜めになってもよい。
【００２４】
本考案に係る実施例の説明において、なお、明確に規定又は限定しない限り、「設置」、「連結」とは広い意味で理解すべきである。例えば、固定して連結されてもよく、着脱可能に連結されてもよく、又は一体的に連結されてもよい。機械的に連結されてもよく、電気的に連結されてもよい。直接連結されてもよく、中間部材を介して間接的に連結されてもよく、２つの構成要素の内部が連通してもよい。当業者であれば、具体的な状況に応じて、前記用語の本考案における具体的な意味を理解することができる。
【００２５】
［実施例］
【００２６】
図１を参照する。図１はウェアラブル地震避難布団１００の概略構成図である。本実施例が提供するウェアラブル地震避難布団１００は、従来の布団と異なるより多くの用途を有するので、ウェアラブル地震避難布団１００の利用率が大幅に向上する。勿論、ウェアラブル地震避難布団１００は、各種の材質であってもよく、例えば、綿布団、絹製布団、羽毛布団、羊毛布団等であってもよい。本実施例では、ウェアラブル地震避難布団１００の材質は限定されるものではない。
【００２７】
ウェアラブル地震避難布団１００は、順に連結される第１布団の縁１１２と、第２布団の縁１１４と、第３布団の縁１１６と、第４布団の縁１１８とを通常備える布団本体１１０を備える。布団本体１１０は、従来の布団の四辺形の構造を有すると理解してもよい。勿論、他の実施例において、４つの布団の縁は従来の布団のように明確で、区分される所定の領域を有していなくてもよい。本実施例において、より良く理解及び説明しやすいように、図１に示すように、４つの布団の縁について概略的に領域を区分している。
【００２８】
布団の利用率を向上するために、布団がベッドで用いられ得るだけでなく、ユーザにも着用され得、ユーザが自由に歩き回ることができる。このため、第１布団の縁１１２に第１連結部品（図示せず）が設けられており、第３布団の縁１１６に第２連結部品（図示せず）が設けられている。第１連結部品と第２連結部品とが脱着可能にマッチングする。第１連結部品と第２連結部品との連結及び取り外しにより、布団のユーザにおける着脱を実現できる。多くのユーザは、ある場合、綿布団を体に巻き付けることが好きであるが、綿布団が良い着用機能を有しないことが多いので、ユーザは綿布団を安定して体に巻き付けることが困難であり、被覆位置及び被覆姿勢を頻繁に調整することが必要であり、ユーザを非常に困らせる。また、現在各地において多くの地震災害が現れ、ユーザが寝る際に地震が発生した場合、ユーザは安心して本実施例に提供される布団を巻き付けて外へ駆け出すことができる。当該布団は、良い着用機能を有するため、体を覆うことができるだけでなく、寒気に耐えることもでき、さらに緩衝機能を果たし、落下した物体のユーザの体に対する傷害を軽減することができる。ユーザが寝る時に当該布団も着用されたままであると、地震が発生する場合、ユーザはそのまま逃げ出すことができ、ユーザに貴重な脱出時間を取った。
【００２９】
第１連結部品と第２連結部品とのマッチング方式は多様であってもよい。
【００３０】
例えば、第１連結部品は、第１ボタン１２０と、第２ボタン１２２と、第３ボタン１２４とを備えることができる。第２連結部品は、それぞれ、第１ボタン１２０、第２ボタン１２２及び第３ボタン１２４に合わせる第１ボタン穴１２６、第２ボタン穴１２８及び第３ボタン穴１３０を備えることができる。ユーザがウェアラブル地震避難布団１００を体に着用する場合、第１ボタン１２０を第１ボタン穴１２６にかけ、第２ボタン１２２を第２ボタン穴１２８にかけ、第３ボタン１２４を第３ボタン穴１３０にかけることで、ウェアラブル地震避難布団１００をユーザに固定する。
【００３１】
図１及び図２を参照する。図２にウェアラブル地震避難布団１００が人体に着用される場合の概略構成図を示す。図１にウェアラブル地震避難布団１００を広げて敷く場合の状態を示し、第１布団の縁１１２を第３布団の縁１１６に折り畳んでから、３つのボタンを３つのボタン穴にかければ、ウェアラブル地震避難布団１００を図２に示す状態で人体に着用することができる。ユーザの頭部が第１ボタン１２０と、第１布団の縁１１を第３布団の縁１１６に折り畳んだ後の屈曲部との間から露出する。図１において、第１ボタン１２０と第１ボタン穴１２６が基本的にウェアラブル地震避難布団１００における同じ高さで相対的に設けられ、第２ボタン１２２と第２ボタン穴１２８が基本的にウェアラブル地震避難布団１００における同じ高さで相対的に設けられ、第３ボタン１２４と第３ボタン穴１３０が基本的にウェアラブル地震避難布団１００における同じ高さで相対的に設けられることを観察できる。対応するボタンが対応するボタン穴にかけられていないと、日常的に服を着る場合ボタンをかけ間違えるという状況のように、ユーザの着用に不都合が生じる。このような状況の発生を防ぐために、３つのボタンの大きさがすべて異なってもよく、３つのボタン穴の大きさがすべて異なってもよい。このようにボタンをかけ間違えるという状況が現れても、ボタン穴が不適合であるため、ユーザはすぐにこの状況を発見し、即時にボタンかけの位置を直すこともできる。
【００３２】
勿論、第１連結部品と第２連結部品のマッチング方式は前記ボタンとボタン穴のマッチング方式を用いなくてもよく、さらに通常のファスナー、マジックテープ（登録商標）、隠しボタン等を用いてもよい。勿論、任意の形の連結部品は通常、全て縫製により連結部品をウェアラブル地震避難布団１００に縫う。ボタンは他の数に設定されてもよく、ユーザの体型に応じてあつらえることができる。
【００３３】
ユーザが容易にウェアラブル地震避難布団１００を着用してから、腕をより便利に差し伸べて自由に動くことができるために、第１ボタン１２０と第２ボタン１２２との間の距離が第２ボタン１２２と第３ボタン１２４との間の距離よりも大きい。図２に２つの距離の長さの差異を観察することができる。図２に示すように、ユーザの片腕は第１ボタン１２０と第２ボタン１２２との間の空隙から出ることができる。第１布団の縁１１２と第３布団の縁１１６を重ね合わせた後、両者の重ね合わせ部そのものに隙間があり、他の連結部品で両者の重ね合わせ部の隙間が完全に封止されない限り、腕は自由に隙間を通り抜けることができる。しかし、ユーザの腕の快適性及び柔軟性のために、腕が通り抜ける部位に大きな空間を確保する必要があるので、第１ボタン１２０と第２ボタン１２２との間の距離を大きく制御する。ユーザがウェアラブル地震避難布団１００を着た後、第１ボタン１２０をかけた後ユーザの肩における位置にあることが可能であることで、ウェアラブル地震避難布団１００が安定して体にかけられる。このため、第１ボタン１２０が第１布団の縁１１２の第２布団の縁１１４に近い一端に位置し、第２ボタン１２２と第３ボタン１２４が何れも第１布団の縁１１２の第４布団の縁１１８に近い一端に位置する。ユーザの足部の位置に近い裾もボタンを介して連結され、寒風の侵入を低減する一方、ウェアラブル地震避難布団１００の着用安定性も向上できる。
【００３４】
さらに、ウェアラブル地震避難布団１００の人体の頭部に近い箇所における着用安定性を向上するために、さらに、第２布団の縁１１４に第４ボタン１３２と、第４ボタン１３２に合わせる第４ボタン穴１３４とを設けることができる。図１に示すように、第４ボタン１３２が第１ボタン１２０に近接し、第４ボタン穴１３４が第１ボタン穴１２６に近接する。第１布団の縁１１２と第３布団の縁１１６を重ね合わせた後、重ね合わせにより形成される屈曲部と第４ボタン１３２との間に一定の距離を置き、ユーザの腕をこのような距離の隙間から差し伸べ、布団本体１１０の折り曲げられた部分を当該腕の下に押さえることができる。図２に示すように、図２において、左側から差し伸べた腕は布団本体１１０の折り曲げられた部分を当該腕の下に押さえる。
【００３５】
布団本体１１０をより安定して体に着用するために、第１連結部品は第１ベルト１３６をさらに備え、第２連結部品は第２ベルト１３８をさらに備える。第１ベルト１３６の一端と第２ベルト１３８の一端とが固定連結され又は一体的に成形され、第１ベルト１３６の他端と第２ベルト１３８の他端とが脱着可能に連結される。第１ベルト１３６と第２ベルト１３８が何れも第１ボタン１２０と第２ボタン１２２との間に位置する。第１ベルト１３６も第２ベルト１３８も一つの全体であってもよく、この場合、第１ベルト１３６の一端と第２ベルト１３８の一端とが一体的に成形され、この際に、ベルトを通常のベルト設置方式に従い布団本体１１０に連結させることができる。通常のベルト設置方式は服におけるベルトの設置方式を参照できる。第１ベルト１３６の一端と第２ベルト１３８の一端とが固定連結されるとは、第１ベルト１３６の一端が布団本体１１０に固定連結され、第２ベルト１３８の一端が布団本体１１０に固定連結されることを意味する。この場合、２本のベルトは一つの全体ではない。２本のベルトの自由端が着脱可能に連結され、例えば２本のベルトを締め合わせることもできるし、通常の日字形バックルを介して２本のベルトを連結することもできる。ベルトとボタンを合わせて用いることでウェアラブル地震避難布団１００をより安定して体に着用することができる。ユーザがウェアラブル地震避難布団１００を着用する場合の動作の柔軟性を向上するように、ベルトは弾性ベルトであってもよい。
【００３６】
ベルトとボタンのマッチングにより、ユーザは容易にウェアラブル地震避難布団１００を着用し自由に活動することができるだけでなく、寝る場合、寝る間に布団を蹴ること、風が入ること等の状況の発生を防止し、寝る際に体が冷え込んで風邪を引く確率を低減することもできる。
【００３７】
さらに、図３を参照する。図３にウェアラブル地震避難布団１００が折り畳まれた後の概略構成図を示す。第２布団の縁１１４に固定ベルト１４０がさらに設けられており、固定ベルト１４０の一端が第２布団の縁１１４に固定連結され、他端が自由に延伸する。固定ベルト１４０は、肌と直接接触できる任意の材料（例えば綿、紗）であってもよく、マフラーとして用いられ、又は頭に巻き付けて帽子として用いられる。地震で逃げ出す過程において、頭頸部を保護するために、ついでに枕を掴んで頭頂部に置くことが可能である場合、固定ベルト１４０で枕を頭頂にきつく結ぶことができる。
【００３８】
他の実施例において、固定ベルト１４０は、第１サブベルト（図示せず）と、第２サブベルト（図示せず）とをさらに備えることができる。第１サブベルトと、第２サブベルトの一端とが固定連結され、他端が脱着可能に連結される（例えばファスナー、マジックテープ（登録商標）、ボタンにより着脱可能に連結されてもよい）。２つのサブベルトで枕をより容易に固定でき、マフラーとして用いられる場合、２つのサブベルトで組み合わせて結ぶと、さらに複数の異なる構造を作り出すことができる。２つのサブベルトは、さらに、それぞれ左右の両側から、体における布団本体１１０を再び固めて、ウェアラブル地震避難布団１００をより安定して着用することができる。
【００３９】
また、図１を参照する。布団本体１１０は収納袋１４２をさらに備え、収納袋１４２の底部に呼び子を収めるための収納バッグ１４４が設けられている。収納袋１４２により、人々はウェアラブル地震避難布団１００を着用時に、手当たり次第に携帯電話、モバイルバッテリー、水筒、カンパン等のような持ち物を携帯することができる。収納バッグ１４４には、呼び子が常に置かれている。地震が発生し、ユーザが閉じ込められた後、呼び子を取り出して吹き鳴らすことができる。それにより、捜索救助者がより速く自分を捜し求めることができる。
【００４０】
ウェアラブル地震避難布団１００の作動原理は以下の通りである。
【００４１】
多くのユーザは、ある場合、綿布団を体に巻き付けることが好きであるが、綿布団が良い着用機能を有しないことが多いので、ユーザは綿布団を安定して体に巻き付けることが困難であり、被覆位置及び被覆姿勢を頻繁に調整することが必要であり、ユーザを非常に困らせる。また、現在各地において多くの地震災害が現れ、ユーザが寝る際に地震が発生した場合、布団を抱いて逃げ出すことは明らかに不便であるが、寝る時に薄着をしているので、逃げ出した後不都合なことが現れる。本実施例に提供されるウェアラブル地震避難布団１００は、ボタン及びベルトを介してウェアラブル地震避難布団１００を体に着用することができ、寝る時に着用状態を維持することもできる。寝る時に地震が発生しても、ユーザは安心して本実施例に提供されるウェアラブル地震避難布団１００を巻き付けて外へ駆け出すことができる。ウェアラブル地震避難布団１００は、良い着用機能を有するため、体を覆うことができるだけでなく、寒気に耐えることもでき、さらに緩衝機能を果たし、落下した物体のユーザの体に対する傷害を軽減することができる。ユーザが寝る際にウェアラブル地震避難布団１００も着用されたままであると、地震が発生する場合、ユーザはそのまま逃げ出すことができ、ユーザに貴重な脱出時間を取った。しかし、多くの場合、ユーザは家に他の防寒服を着たくないと、直接ウェアラブル地震避難布団１００を体に着用することもでき、それに家で自由に活動することに影響せず、ウェアラブル地震避難布団１００の利用率を大幅に向上した。
【００４２】
本実施例は、前記ウェアラブル地震避難布団１００を備える寝具用品セットをさらに提供する。ウェアラブル地震避難布団１００のを入れることで、寝具用品セットの使用価値を向上することができる。
【００４３】
以上は本考案の好ましい実施例に過ぎず、本考案を制限するためのものではない。当業者であれば、本考案は種々の変更及び変化を有してもよい。本考案の趣旨及び原則の範囲において為されたあらゆる変形、等価置換、改善等は、全て本考案の保護範囲に含まれるものとする。
【符号の説明】
【００４４】
１００    ウェアラブル地震避難布団
１１０    布団本体
１１２    第１布団の縁
１１４    第２布団の縁
１１６    第３布団の縁
１１８    第４布団の縁
１２０    第１ボタン
１２２    第２ボタン
１２４    第３ボタン
１２６    第１ボタン穴
１２８    第２ボタン穴
１３０    第３ボタン穴
１３２    第４ボタン
１３４    第４ボタン穴
１３６    第１ベルト
１３８    第２ベルト
１４０    固定ベルト
１４２    収納袋
１４４    収納バッグ
【図１】
0003226946.tif 000003
【図２】
0003226946.tif 000004
【図３】
0003226946.tif 000005